(57)【要約】      （修正有）【課題】金封袱紗を使用する際、その目的により例えば結婚式、弔問等のご案内状、弔問後の御塩、或いは名刺などを先方様に目立たないように差し込み保管しておく利便性のある機能金封袱紗を提供する。【解決手段】袱紗正面１０１ｓｆにふた１０１の外面を配し、袱紗背面に金子台１０２の外面を配するとともに、ふたの内面と金子台の内面１０２ｉｓを開閉可能にし、金子台の内面に金子入れ１０３を形成した金封袱紗１００において、袱紗背面にポケットを設ける。【選択図】図１
0003206629.tif 000002
【実用新案登録請求の範囲】
【請求項１】
袱紗正面（１０１ｓｆ）にふた（１０１）の外面を、袱紗背面（１０２ｂｆ）に金子台（１０２）の外面を配し、前記ふた（１０１）の内面（１０１ｉｓ）と前記金子台（１０２）の内面（１０２ｉｓ）を開閉可能にし、前記金子台（１０２）の内面（１０２ｉｓ）に金子入れ（１０３）を形成した金封袱紗（１００）において、前記袱紗背面（１０２ｂｆ）にポケット（１０４）を設けたことを特徴とする金封袱紗。
【考案の詳細な説明】
【技術分野】
【０００１】  本考案は、金封袱紗に関するものである。
【背景技術】
【０００２】  袱紗は、元来，柔らかな手触りのよいことを指し，《日葡辞書》では〈袱紗物〉〈袱紗絹〉などとともに〈袱紗な人〉（物柔らかで人あたりのよい人）の用例もある。
その上で、袱紗は、元々貴重品などが収蔵された箱上に掛けられ、服紗小袖，袱紗帯のごとく柔らかな絹布製の風呂敷であった。【０００３】  その風呂敷が贈答品を運ぶ時の汚れや日焼け防止として用いられるようになり１枚の布地から裏地付きの絹製で四方に亀房と呼ばれる房付きのものに変わり、慶弔行事の数珠納め、金品を贈る時の儀礼や心遣いとして広ふた（黒塗りの盆）と併せて用いられるようになった。【０００４】  また一般に茶の湯では方形の縮緬や絹布を言う。袱紗に関する背景はこのようであるが、現在は、台・爪付の小型の風呂敷タイプの他に、特許文献１に記載のような２つ折りや三つ折りタイプの金封袱紗、左開きの弔事（お悔やみ）袱紗、右開きの慶事（お祝い）袱紗やお見舞袱紗が多く市販され利用されている。【０００５】  因みに、風呂敷タイプ袱紗の場合、数珠や熨斗袋（筒）を包む場合は結婚式などの慶事には右前に包み、葬儀など弔事には左前に包む。
祝儀袋（筒）の包み方は祝儀袋（筒）を中心より少し左の方へ寄せておき左側を中に折り込み上側をたたみ、次に下側をたたみ右側を折り裏へ折り返す。不祝儀袋（筒）の包み方は、不祝儀袋（筒）を中心より少し右の方へ寄せておき右側を中に折り込み下側をたたみ、次に上側をたたみ左側を折り裏へ折り返す。袱紗の用途と色様々な色のものがあり、暖色系の明るい色は慶事用、寒色系の沈んだ色は弔事用、紫色はどちらにも使える。
【考案の開示】
【考案が解決しようとする課題】
【０００６】  一般に、ふくさは、数珠や熨斗袋（筒）の水引が崩れたり袋（筒）が皺になることを防ぐために使用し、また先方の心中や祭礼を重んじ、喜びや悲しみを共にする気持ちを表わすものである。つまり数珠や熨斗袋（筒）で金封した上でなおかつ袱紗で包むという肌理細やかな心遣いである。
一方、このような慶弔事に際し、確認の上で案内状等は、それが終わるまで傍に置いておきたい。また式場などで名刺交換することもままあり準備しておきたい。【０００７】  本考案は、前述のニーズに対する機能を金封袱紗に備え、金封袱紗を使用する際、その目的により例えば結婚式、弔問等のご案内状、弔間後の御塩、或いは名刺などを先方様に目立たないように差し込み保管しておく利便性のある機能金封袱紗を提供するものである。
【課題を解決するための手段】
【０００８】  上記課題を満足させる本考案の主な技術構成は、次の（１）の通りである。
（１）、袱紗正面１０１ｓｆにふた１０１の外面を袱紗背面１０２ｂｆに金子台１０２の外面を配し、前記ふた１０１の内面１０１ｉｓと前記金子台１０２の内面１０２ｉｓを開閉可能にし、前記金子台１０２の内面１０２ｉｓに金子入れ１０３を形成した金封袱紗１００において、前記袱紗背面１０２ｂｆにポケット１０４を設けたことを特徴とする金封袱紗。
【考案の効果】
【０００９】  本考案の金封袱紗は、金封袱紗を使用する際、その使用目的により例えば結婚式、弔問等のご案内状、弔問後の御塩、或いは名刺などを目立たないように前記ポケット１０４に差し込み保管しておく利便性のある機能金封袱紗である。
例えば結婚式、弔問等のご案内状を前記ポケット１０４に差し込んでおくと、いつでもそっと抜いて会場、日時、親族名などの内容を確認することができる。また会場での親族、知人、友人等で久しく合う人との名刺交換も直ぐできる。
【図面の簡単な説明】
【００１０】
【図１】本考案の金封袱紗の実施例のモデルであり、ふたを若干開けて正面斜め側から見て全体を示す鳥瞰説明図である。
【図２】図１の金封袱紗において、図１に示すふたを矢印Ａの方向に閉めた状態での袱紗正面図（１）とそれの裏側の袱紗背面図（２）である。
【図３】図１の金封袱紗において、図１に示すふたを矢印Ｂの方向に開けて広げ、ふたと金子台の内面状態を示す内面展開説明図（１）と、それの裏側の袱紗正面と袱紗背面を展開した表面・背面展開説明図（２）である。
【考案を実施するための形態】
【００１１】  本実施例にて紹介する金封袱紗は、図１に示す弔事用の二つ折りの金封袱紗１００である。金封袱紗１００は、袱紗正面１０１ｓｆにふた１０１の外面を、袱紗背面１０２ｂｆに金子台１０２の外面を配してある。
前記ふた１０１の内面１０１ｉｓと前記金子台１０２の内面１０２ｉｓは、開閉可能にし、前記金子台１０２の内面１０２ｉｓに金子入れ１０３を形成してある。前記金子入れ１０３は、側端縁の全域にそって深く設け、その両端部には二つ折りマチを形成して金子又は数珠などの出し入れが容易にしてある。
【００１２】図１の金封袱紗１００において、図１に示すふた１０１を矢印Ａの方向に閉めた状態の袱紗表面図を図２の（１）に示す。ふた１０１は金封台１０２の内面に設けた金封入れ１０３の半ばまで覆いかぶさるようにしてあり右側からの開閉を容易にしてある慶事用である。
図２の（２）に袱紗背面図を示す。
【００１３】  図１の金封袱紗１００において、図１に示すふた１０１を矢印Ｂの方向に開けて袱紗内面を広げた状態の内面展開図を図３の（１）に示し、その反対側の袱紗正面と袱紗背面の展開図を図３の（２）に示す。図３の（１）には、金子入れ１０３に“寿の御祝儀袋１０５”を入れた状態を示す。
【００１４】  図２の（２）及び図３の（２）においける金封袱紗１００の袱紗背面１０１ｂｆにおいて、ポケット１０４を設ける。
ポケット１０４は、図例のように袱紗背面１０２ｂｆの側端縁１０２ｅの全域にそって設けるか、或いは側端縁の中央部に設けるか、または袱紗背面１０２ｂｆの側端縁１０２ｅに沿って分割して複数個設けてもよい。或いは袱紗背面１０２ｂｆの中央部に設けてもよい。
このポケット１０４の配置により、左手で図２の（１）の状態にして持った金子袱紗１００を左手で単に横に１８０度回転するのみで図２の（２）の状態にして、ポケット１０４を手前に位置させて同ポケット１０４に予め入れておいた前記案内状、名刺等を取り出すことができる。または御塩などを入れておくこともできる。
【産業上の利用可能性】
【００１５】  本考案は、前述の優れた作用効果を呈する為、慶弔袱紗を利用する一般社会人はもとより、慶弔袱紗の製造・販売業界に貢献すること多大なものがある。
【符号の説明】
【００１６】１００：金封袱紗
１０１：ふた
１０２：金子台
１０１ｓｆ：袱紗正面
１０２ｂｆ：袱紗背面
１０１ｉｓ：ふたの内面
１０２ｉｓ：前記金子台の内面
１０３：金子入れ
１０４：ポケット
１０５：寿の御祝儀袋
【図１】
0003206629.tif 000003
【図２】
0003206629.tif 000004
【図３】
0003206629.tif 000005